(57)【要約】【課題】剛性を向上させることができる印刷機械を提供すること。【解決手段】印刷ユニット１は、駆動側ケース６内に、印刷用ローラ群（図示省略）を支持する軸受、歯車、いわゆる駆動ギアが収められる。一方、操作側ケース５には、軸受カム等が収められる。これらの軸受等は、潤滑油で潤滑される。ベッドフレーム２の上面には、駆動側ケース６と操作側ケース５とを連通する樋９が設けられる。樋９の端部は、一方が操作側ケース５と、操作側フレーム３の通路７およびベッド側通路８を通して連通される。他方の端部は、駆動側ケース６と、駆動側フレーム４の通路１１およびベッド側通路１０を通して連通される。この樋９は、操作側から駆動側にかけて傾斜して設けられる。【選択図】        図１
2007223237.tif 000002
【特許請求の範囲】
【請求項１】
印刷ユニットの駆動側ケースと操作側ケースとを潤滑油が循環する印刷機械において、
ベッドフレーム上面に前記駆動側ケースと前記操作側ケースとを連通する樋を有することを特徴とする印刷機械。
【請求項２】
前記樋は、傾斜して設けられることを特徴とする請求項１に記載の印刷機械。
【請求項３】
前記樋は、排出通路の手前に段差を有することを特徴とする請求項１または２に記載の印刷機械。
【請求項４】
前記樋には、蓋が設けられることを特徴とする請求項１〜３のいずれか一つに記載の印刷機械。
【発明の詳細な説明】
【技術分野】
【０００１】
本発明は、機械本体の剛性を向上可能な構造を有する印刷機械に関するものである。
【背景技術】
【０００２】
一般に、印刷機械は、給紙部と各色印刷用の印刷ユニット、排紙部とから構成される。印刷ユニットは、駆動側フレームと、操作側フレームとの間に架設される印刷用ローラで構成される。駆動側ケースには、上記ローラを支持する軸受、歯車等からなる、いわゆる駆動ギアが収められる。一方、操作側ケースには、軸受等が収められる。これらの軸受等は、潤滑油で潤滑される。
【０００３】
図３は、印刷ユニットの従来の潤滑油循環例を示す説明図である。また、図４は、印刷ユニットの長手方向に直角な方向で切断したときの断面を示す断面図である。印刷機械２０における各色の印刷ユニット２１の駆動側ケース２２同士は、互いに管２５、２６で連通されており、ポンプ２４により潤滑油が複数の印刷ユニット２１を通して循環する。
【０００４】
一方、印刷ユニット２１の操作側ケース２３同士は、独立している。そのため、操作側ケース２３への潤滑油は、対面の駆動側ケース２２から当該印刷ユニット２１の上方を通してオイルシャワーとして流れてくるようになっている。そして、操作側ケース２３には、流れてくる潤滑油が溜まらないように再び駆動側に戻すための連通管２７がギア、ローラの下部であって、ベッドフレーム２８の上部に水平に設けられる（たとえば、特許文献１）。
【０００５】
【特許文献１】実開平５−４１７７９号公報
【発明の開示】
【発明が解決しようとする課題】
【０００６】
しかしながら、ベッドフレーム２８は、これを基として、フレーム等が組み立てられることから、印刷ユニット２１の剛性に大きく影響を与える部材であるところ、上記連通管２７は、当該ベッドフレーム２８の高さを頭打ちとさせる。したがって、このままの構成を採ると、ベッド剛性を上げることができない。また、上記連通管２７は、油漏れしないように、厳密に駆動側ケース２２と操作側ケース２３との距離に合わせて製作しなければならず、少しでも短ければ油漏れの原因になる。また、その長さの大小により、フレームの平行が出しにくくなり、組み立てに支障が生じる。さらに、連通管が水平に設けられると潤滑油が循環しにくい。
【０００７】
そこで、この発明は、上記に鑑みてなされたものであって、連通管を用いずに潤滑油を循環させる構造を有し、ベッドフレームの高さ上昇を可能とさせ、これにより剛性を向上可能とする印刷機械を提供することを目的とする。
【課題を解決するための手段】
【０００８】
上述の目的を達成するために、この発明による印刷機械は、印刷ユニットの駆動側ケースと操作側ケースとを潤滑油が循環する印刷機械において、ベッドフレーム上面に前記駆動側ケースと前記操作側ケースとを連通する樋を有するようにしたものである。
【０００９】
ベッドフレームに樋が設けられると、連通路が不要となり、ベッドフレームの高さ制限が緩和されるので、ベッドフレームの高さを大きくすることができ、印刷機械全体の剛性が向上する。
【００１０】
つぎの発明による印刷機械は、前記印刷機械において、前記樋は、傾斜して設けられるようにしたものである。
【００１１】
樋が傾斜していると、組み立ての関係で、水平に設けていた連通管に比べると、潤滑油の戻りがよくなり、潤滑油の循環が円滑となる。
【００１２】
つぎの発明による印刷機械は、前記印刷機械において、前記樋は、排出通路の手前に段差を有するようにしたものである。
【００１３】
排出通路の手前に段差があれば、ローラ類からのゴミ、塵が潤滑油に混入し、駆動側ケースに環流するのを防止可能となる。
【００１４】
つぎの発明による印刷機械は、前記印刷機械において、前記樋には、蓋が設けられるようにしたものである。
【００１５】
樋に蓋があれば、ローラ類からのゴミ、塵が潤滑油に混入し、駆動側ケースに環流するのを防止可能となる。
【発明の効果】
【００１６】
この発明に係る印刷機械によれば、連通管を用いずにベッド上の樋を使って潤滑油を循環させる構造を有するようにしたので、それまで連通管によって頭打ちだったベッドフレームの高さを上昇させることができる。これにより印刷機械全体の剛性が向上する。
【発明を実施するための最良の形態】
【００１７】
以下、この発明につき図面を参照しつつ詳細に説明する。なお、この実施の形態によりこの発明が限定されるものではない。また、下記実施の形態における構成要素には、当業者が容易に想定できるものが含まれるものとする。
【実施例】
【００１８】
図１は、本発明に係るベッドフレームを示す断面図である。また、図２は、図１のＡ−Ａ断面を示す断面図である。印刷機械の印刷ユニット１は、最下部のベッドフレーム２の上に駆動側フレーム４、および操作側フレーム３が立設される。駆動側フレーム４には、駆動側ケース６、操作側フレーム３には、操作側ケース５が付設される。
【００１９】
印刷ユニット１の操作側ケース５同士が独立していること、および駆動側ケース６同士は、ポンプからの管を介して互いに連通している点は従来と同様である。また、操作側ケース５への潤滑油は、対面の駆動側ケース６から印刷ユニット１の上方を通してオイルシャワーとして流れてくるようになっている点も従来と同様である。
【００２０】
印刷ユニット１は、駆動側ケース６内に、印刷用ローラ群（図示省略）を支持する軸受、歯車等からなる、いわゆる駆動ギアが収められる。一方、操作側ケース５には、軸受、カム等が収められる。これらの軸受等は、潤滑油で潤滑される。ベッドフレーム２の上面には、駆動側ケース６と操作側ケース５とを連通する樋９が設けられる。
【００２１】
樋９の端部は、一方が操作側ケース５と、操作側フレーム３の通路７およびベッド側通路８を通して連通される。他方の端部は、駆動側ケース６と、駆動側フレーム４の通路１１およびベッド側通路１０を通して連通される。この樋９は、操作側から駆動側にかけて傾斜して設けられる。
【００２２】
印刷ユニット１の上方から操作側ケース５内に流れ込む潤滑油は、操作側ケース５の底に行き着き、操作側フレーム３の通路７およびベッド側通路８を通してベッドフレーム２の上部に形成される樋９に流れ込む。そして、樋９の傾斜によって、潤滑油は駆動側に流れ、ベッド側通路１０および駆動側フレーム４の通路１１を通して駆動側ケース６に流れ込む。その後は、再びポンプ（図示省略）によって潤滑油が上方に流されて循環する。なお、上記駆動側フレーム４の通路１１を管で形成するときは、万が一の潤滑油漏れを防止するために、シール材を挟んでねじ１２で止めるとよい。また、樋９にはゴミ等の混入を防止するために蓋を設けることが好ましい。
【００２３】
このように、ベッドフレーム２の上面に樋９が設けられると、従来必要だった連通路が不要となり、ベッドフレーム２の高さ制限がその分緩和される。これにより、ローラ群に干渉しない限り、ベッドフレーム２の高さを大きくすることができる。その結果、印刷機械全体の剛性が向上する。ベッドフレーム２を大きくできれば、駆動側、操作側のフレームを長いスパンで支持できるので、両フレーム同士の広がりや倒れを抑制することができるからである。また、通常鋳物で製作されるベッドフレームの高さが大きくなれば、重量が大きくなり、動剛性も向上する。
【００２４】
また、従来、連通管が水平になっていたのに比べれば、樋９が傾斜しているので、潤滑油が操作側から駆動側に戻りやすく潤滑油の循環がより円滑となる。
【００２５】
樋９がベッド側通路１０に至る部分は、当該ベッド側通路１０と段差１４をつけると、万が一、駆動側に環流する潤滑油にローラ類からのゴミ、塵が落ちて混入したときのストレーナの役割を果たすようになる。そして、当該段差１４の底となる部分にドレイン１３を設けておけば、当該ゴミ等を容易に除去することができる。
【産業上の利用可能性】
【００２６】
以上のように、本発明にかかる印刷機械は、潤滑油が操作側ケースから駆動側ケースに循環する印刷ユニットを有する印刷機械の生産、使用に用いられる。
【図面の簡単な説明】
【００２７】
【図１】本発明に係るベッドフレームを示す断面図である。
【図２】図１のＡ−Ａ断面を示す断面図である。
【図３】印刷ユニットの従来の潤滑油循環例を示す説明図である。
【図４】従来の印刷ユニットの断面を示す断面図である。
【符号の説明】
【００２８】
１、２１  印刷ユニット
２、２８  ベッドフレーム
３  操作側フレーム
４  駆動側フレーム
５、２３  操作側ケース
６、２２  駆動側ケース
７、１１  通路
８、１０  ベッド側通路
９  樋
１２  ねじ
１３  ドレイン
１４  段差
２０  印刷機械
２４  ポンプ
２５、２６  管
２７  連通管
【図１】
2007223237.tif 000003
【図２】
2007223237.tif 000004
【図３】
2007223237.tif 000005
【図４】
2007223237.tif 000006